(57)【要約】【課題】車外の視認性を確保し、車両外部から搭乗者へ差し込む光をより確実に遮光することができる車両用防眩装置を提供する。【解決手段】光を遮る遮光部を電気的制御により形成可能な液晶サンバイザー２０と、車外の光源を検出する第１カメラ１１及び光源検出部４１と、運転者の目の位置を検出する第２カメラ１２及び位置検出部４２と、光源の位置と目の位置とを結ぶ直線が液晶サンバイザー２０を通る位置を演算し、当該位置に遮光部を形成する遮光制御部４３とを備える。【選択図】図４
2018199421.tif 000002
【特許請求の範囲】
【請求項１】
光を遮る遮光部を電気的制御により形成可能な遮光装置と、
車外の光源を検出する光源検出手段と、
搭乗者の目の位置を検出する位置検出手段と、
光源の位置と目の位置とを結ぶ直線が前記遮光装置を通る位置を演算し、当該位置に前記遮光部を形成する遮光制御手段とを備える
ことを特徴とする車両用防眩装置。
【請求項２】
請求項１に記載の車両用防眩装置において、
前記光源検出手段は、撮像装置で車外を撮像した画像データに基づいて光源を検出する
ことを特徴とする車両用防眩装置。
【請求項３】
請求項１又は請求項２に記載の車両用防眩装置において、
前記遮光制御手段は、光源の輝度が高いほど前記遮光部の透明度を低くする
ことを特徴とする車両用防眩装置。
【請求項４】
請求項１から請求項３の何れか一項に記載の車両用防眩装置において、
前記遮光制御手段は、一定間隔で継続的に前記遮光部を形成する
ことを特徴とする車両用防眩装置。
【請求項５】
請求項１から請求項４の何れか一項に記載の車両用防眩装置において、
前記遮光部の位置又は透明度を調整する操作スイッチを備える
ことを特徴とする車両用防眩装置。
【請求項６】
請求項１から請求項５に何れか一項に記載の車両用防眩装置において、
前記遮光部で遮る光源の光の強さを判定するための閾値を設定するための感度調整スイッチを備え、
前記遮光制御手段は、前記感度調整スイッチにより設定された閾値を超えた輝度を有する光源に対して前記遮光部を形成する
ことを特徴とする車両用防眩装置。
【請求項７】
請求項１から請求項６に何れか一項に記載の車両用防眩装置において、
前記遮光装置は、車室の天井に設けられて水平方向に延設された軸に回動可能に支持され、車室の天井に沿うように配置された収納状態、又は鉛直な方向に配置された使用状態に変位可能であり、
前記遮光制御手段は、光源の位置と目の位置とを結ぶ直線が前記遮光装置を通る位置を演算し、当該位置に前記遮光部を形成する際には、前記遮光装置を使用状態にする
ことを特徴とする車両用防眩装置。
【請求項８】
請求項７に記載の車両用防眩装置において、
前記遮光装置が鉛直な方向に配置された状態を基準とし、前記軸を中心に回動した前記遮光装置の角度を検出可能なポジションセンサーを備え、
前記遮光制御手段は、前記ポジションセンサーから取得した角度が所定角度以内であるとき前記遮光部を形成する
ことを特徴とする車両用防眩装置。
【発明の詳細な説明】
【技術分野】
【０００１】
本発明は、車外の光源を防眩する車両用の車両用防眩装置に関する。
【背景技術】
【０００２】
一般に車両には、搭乗者の前方に太陽光等を遮るサンバイザーが配置されている。サンバイザーとしては、液晶パネルを用いた車両用防眩装置が知られている（例えば、特許文献１参照）。このような車両用防眩装置では、防眩の必要がないときは液晶パネルを透明としておき、防眩を必要とするときは電気的な制御により不透明な遮光部を形成することで、防眩機能を実現している。
【０００３】
また、上記車両用防眩装置では、液晶パネルのうち太陽光が目の位置に差し込む部分だけを遮光部で遮り、その他の部分を透明にする。このように部分的に遮光部を設けることで、車外の視認性を確保しつつ、防眩を実現している。
【０００４】
しかしながら、遮光部の位置を決定するためには、搭乗者の目の位置に基づくだけでは不十分である。すなわち、太陽光の光源の位置を考慮しなければ、遮光部の適切な位置を決定できない。従来技術では、現在時刻に基づいて太陽の位置を判断しているが、太陽の位置そのものを特定しないため、正確性に欠けるという問題がある。また、太陽光以外の光源、例えば対向車のヘッドライトの位置を現在時刻に基づいて決定できないことは自明であり、太陽光以外の光源を遮光できないという問題がある。
【先行技術文献】
【特許文献】
【０００５】
【特許文献１】特開２００２−３３１８３５号公報
【発明の概要】
【発明が解決しようとする課題】
【０００６】
本発明は、このような事情に鑑みてなされたもので、車外の視認性を確保し、車両外部から搭乗者へ差し込む光をより確実に遮光することができる車両用防眩装置を提供することを目的とする。
【課題を解決するための手段】
【０００７】
上記課題を解決する本発明の第１の態様は、光を遮る遮光部を電気的制御により形成可能な遮光装置と、車外の光源を検出する光源検出手段と、搭乗者の目の位置を検出する位置検出手段と、光源の位置と目の位置とを結ぶ直線が前記遮光装置を通る位置を演算し、当該位置に前記遮光部を形成する遮光制御手段とを備えることを特徴とする車両用防眩装置にある。
【０００８】
第１の態様では、遮光部を形成する位置を決定する際には、運転者の目の位置のみならず、光源の位置を特定している。このように、光源の位置を特定して遮光部を形成しているので、運転者の目に光源の光が遮られる位置に遮光部をより正確に形成できる。
【０００９】
本発明の第２の態様は、第１の態様に記載の車両用防眩装置において、前記光源検出手段は、撮像装置で車外を撮像した画像データに基づいて光源を検出することを特徴とする車両用防眩装置にある。
【００１０】
第２の態様では、撮像装置で撮像した画像データに基づいて光源の位置を検出する。画像データは、輝度に基づいた画像処理が可能であるので、光源をより確実に検出することができる。
【００１１】
本発明の第３の態様は、第１又は第２の態様に記載の車両用防眩装置において、前記遮光制御手段は、光源の輝度が高いほど前記遮光部の透明度を低くすることを特徴とする車両用防眩装置にある。
【００１２】
第３の態様では、光源の輝度が低い場合は、遮光部を高い透明度にするので、遮光装置全体の視認性を高めることができる。また、光源の輝度が高い場合は、遮光部を低い透明度にするので、高い輝度の光源をより確実に遮光し、防眩性を高めることができる。
【００１３】
本発明の第４の態様は、第１から第３の何れか一つの態様に記載の車両用防眩装置において、前記遮光制御手段は、一定間隔で継続的に前記遮光部を形成することを特徴とする車両用防眩装置にある。
【００１４】
第４の態様では、光源の移動に遮光部の位置を追随させることができる。そのような移動する光源として、対向車のヘッドライトが挙げられるが、このヘッドライトの移動に対して追随するように遮光部を形成することができる。
【００１５】
本発明の第５の態様は、第１から第４の何れか一つの態様に記載の車両用防眩装置において、前記遮光部の位置又は透明度を調整する操作スイッチを備えることを特徴とする車両用防眩装置にある。
【００１６】
第５の態様では、運転者が遮光部の位置や濃度を調整して、より確実に光源の光を遮ることができる。
【００１７】
本発明の第６の態様は、第１から第５の何れか一つの態様に記載の車両用防眩装置において、前記遮光部で遮る光源の光の強さを判定するための閾値を設定するための感度調整スイッチを備え、前記遮光制御手段は、前記感度調整スイッチにより設定された閾値を超えた輝度を有する光源に対して前記遮光部を形成することを特徴とする車両用防眩装置にある。
【００１８】
第６の態様では、運転者が感度調整スイッチを調整することで、光源を検出する感度を調整することができ、運転者が所望する輝度の光源をより確実に遮光部で遮光することができる。
【００１９】
本発明の第７の態様は、第１から第６の何れか一つの態様に記載の車両用防眩装置において、前記遮光装置は、車室の天井に設けられて水平方向に延設された軸に回動可能に支持され、車室の天井に沿うように配置された収納状態、又は車室の天井に対して垂直な方向に沿うように配置された使用状態に変位可能であり、前記遮光制御手段は、光源の位置と目の位置とを結ぶ直線が前記遮光装置を通る位置を演算し、当該位置に前記遮光部を形成する際には、前記遮光装置を使用状態にすることを特徴とする車両用防眩装置にある。
【００２０】
第７の態様では、遮光装置を運転者の前に自動的に位置させて遮光することができる。
【００２１】
本発明の第８の態様は、第７の態様に記載の車両用防眩装置において、前記遮光装置が水平に対して垂直又は鉛直な方向に沿うように配置された状態を基準とし、前記軸を中心に回動した前記遮光装置の角度を検出可能なポジションセンサーを備え、前記遮光制御手段は、前記ポジションセンサーから取得した角度が所定角度以内であるとき前記遮光部を形成することを特徴とする車両用防眩装置にある。
【００２２】
第８の態様では、運転者の手動操作により遮光装置が所定角度に傾斜したときであっても、遮光部を形成して光源を遮光することができる。
【発明の効果】
【００２３】
本発明によれば、車外の視認性を確保し、車両外部から搭乗者へ差し込む光をより確実に遮光することができる車両用防眩装置が提供される。
【図面の簡単な説明】
【００２４】
【図１】車両用防眩装置の概略構成図である。
【図２】液晶サンバイザーの正面図である。
【図３】液晶サンバイザーの側面図である。
【図４】車両用防眩装置のブロック図である。
【図５】光源、目の位置及び遮光部の位置を示す概略図である。
【図６】光源、目の位置及び遮光部の位置を示す概略図である。
【図７】車両用防眩装置の動作を示すフローである。
【発明を実施するための形態】
【００２５】
以下、本発明を実施するための形態について説明する。なお、実施形態の説明は例示であり、本発明は以下の説明に限定されない。
【００２６】
〈実施形態１〉
図１は車両用防眩装置の概略構成図である。図１に示すように、本実施形態に係る車両用防眩装置１０は車両１に搭載され、第１カメラ１１、第２カメラ１２、液晶サンバイザー２０、及び制御装置４０を備えている。
【００２７】
第１カメラ１１は、車両１の前方を撮像するように配置されている。また、第２カメラ１２は、車室内の搭乗者（運転者）の頭部及びその周辺を撮像するように配置されている。第１カメラ１１及び第２カメラ１２により撮像された画像データは、制御装置４０に送信されるようになっている。また、第１カメラ１１及び第２カメラ１２は、請求項に記載の撮像装置の一例であり、ステレオカメラとして構成されている。
【００２８】
図２は液晶サンバイザーの正面図であり、図３は液晶サンバイザーの側面図である。液晶サンバイザー２０は、光を遮る遮光部２２を電気的制御により形成可能な遮光装置の一例である。液晶サンバイザー２０は、公知の透明な液晶パネルからなるパネル部２１を備え、また、本実施形態では、上部に車両の幅方向に延びる軸部３０を有している。
【００２９】
車室の天井２には、フロントガラス３よりも後方であり、運転者の頭部よりも前方となる位置に、下方に延びた支持部材３１が設けられている。軸部３０は、回転可能となるように支持部材３１に取り付けられている。このような構成により、液晶サンバイザー２０は軸部３０を中心に回動可能となっている。
【００３０】
このように取り付けられた液晶サンバイザー２０は、自動制御の場合には、軸部３０を回動させることで、収納状態と使用状態の２つの状態を取り得る。収納状態とは、車室の天井２に沿うように配置された状態をいい、具体的には天井２に略平行となった状態である。使用状態とは、フロントガラス３に沿うように配置された状態であり、具体的には鉛直又は傾斜した状態である。天井２に対して略垂直な使用状態とは、図２及び図３に示すように、液晶サンバイザー２０が天井２に対して鉛直となった使用状態をいう。
【００３１】
天井２に対して傾斜した使用状態とは、図３に示すように、液晶サンバイザー２０が鉛直な状態から、軸部３０を中心に傾斜した状態をいう。具体的には、鉛直に配置された状態を基準とし、軸部３０を中心に回動した角度として、運転者側（時計回り）に最大で角度＋α、フロントガラス側（反時計回り）に最大で角度−αの範囲で傾斜した状態である。角度＋α及び角度−αは任意に定めることができる。なお、特に図示しないが、液晶サンバイザー２０は、上述した角度を検出するポジションセンサーを備えている。
【００３２】
また、軸部３０には、不図示のモーターが設けられており、モーターの回転力で軸部３０が回動するようになっている。制御装置４０はこのモーターを制御可能であり、モーターの駆動を制御することで、液晶サンバイザー２０を収納状態又は使用状態に切り替える。このような制御装置４０により、液晶サンバイザー２０を収納状態又は使用状態に切り替える際には、制御装置４０は運転者に注意を促す警告音を発してもよい。また、このような自動制御に限らず、液晶サンバイザー２０は、軸部３０を回転軸として手動で任意の角度に回転させることも可能である。
【００３３】
パネル部２１は、電圧が印加されていないときは透明状態であり、電圧を印加することで不透明な遮光部２２を形成することが可能となっている。パネル部２１のうち、遮光部２２が形成されていない透過部２３は、略透明となっている。
【００３４】
遮光部２２は、パネル部２１の全部又は一部であって不透明な領域である。液晶サンバイザー２０は、パネル部２１における遮光部２２の位置、形状、範囲に関する情報を制御装置４０から受信し、当該情報に基づいて遮光部２２をパネル部２１に形成する。図２では一例として、パネル部２１の左下部分に長方形状の遮光部２２が形成されている。このため、透過部２３を通して車両１の前方の風景（図２では信号機１５）が視認できる。一方、車両１の前方のうち遮光部２２が重なる部分は、遮光部２２によって光が透過しない、又は光が減衰されるため暗く視認される。
【００３５】
また、液晶サンバイザー２０は、パネル部２１の右側に、位置調整スイッチ２４、濃度調整スイッチ２５、感度調整スイッチ２７、及び動作モード切替スイッチ２８を備えている。
【００３６】
位置調整スイッチ２４は、上下左右の方向に対応した４つのスイッチからなり、遮光部２２の位置調整に用いられる。濃度調整スイッチ２５は、左右に並設された二つのスイッチからなり、遮光部２２の濃度（透明度）を調整するために用いられる。感度調整スイッチ２７は、ロータリスイッチであり、遮光部２２で遮る光の強さを判定するための閾値を調整するために用いられる。これらの具体的な調整については後述する。
【００３７】
動作モード切替スイッチ２８は、同時に一つだけがオンとなることが可能な３つのスイッチからなり、液晶サンバイザー２０の動作モードを切り替えるために用いられる。動作モード切替スイッチ２８の一番左のスイッチがオンにされたとき、液晶サンバイザー２０は、パネル部２１の全体を透明にする。また、一番右のスイッチがオンにされたとき、液晶サンバイザー２０は、パネル部２１の全体を不透明にする。中央のスイッチがオンにされたとき、液晶サンバイザー２０は、制御装置４０によって指示された位置、形状、範囲に遮光部２２を形成するモードに切替える。制御装置４０による遮光部２２の形成については後述する。
【００３８】
図４は車両用防眩装置のブロック図であり、図５及び図６は光源、目の位置及び遮光部の位置を示す概略図である。Ｘ方向は、車両の前後方向、Ｙ方向は車幅方向を、Ｚ方向は車両の高さ方向を表している。これらの原点を、液晶サンバイザー２０のパネル部２１の左下部分とする。
【００３９】
車両用防眩装置の制御装置４０は、中央処理装置と主記憶装置とを備えるマイクロコンピューターによって構成されており、車両のエンジンや各種装置の動作を制御する装置である。さらに、制御装置４０は、光源検出部４１、位置検出部４２及び遮光制御部４３を備えている。なお、これらの各手段は、制御装置４０により実行されるコンピュータソフトウェアとして実装されているが、これに限定されず電子回路などハードウェアとして実装されていてもよい。また、第１カメラ１１及び光源検出部４１は請求項に記載の光源検出手段の一例であり、第２カメラ１２及び位置検出部４２は請求項に記載の位置検出手段の一例であり、遮光制御部４３は請求項に記載の遮光制御手段の一例である。
【００４０】
光源検出部４１は、車外の太陽などの光源５０を検出する。具体的には、光源検出部４１は、第１カメラ１１から得た画像データの中から、所定の閾値以上の輝度を有する部分である高輝度部を検出する。当該閾値は、運転者が眩しいと感じられる輝度となるように設定する。さらに当該閾値は、上述した感度調整スイッチ２７の位置によって値を調整することが可能となっている。
【００４１】
そして、光源検出部４１は、液晶サンバイザー２０のパネル部２１における原点を基準として、高輝度部、すなわち光源５０の３次元座標を演算する。上述したように、第１カメラ１１はステレオカメラとして構成されているので、得られた画像データを画像処理することで、光源５０の３次元位置を得ることができる。
【００４２】
位置検出部４２は、運転者の目の位置を検出する。本発明でいう運転者の目の位置を検出するとは、運転者の両眼の位置を検出することをいう。具体的には、位置検出部４２は、第２カメラ１２から得た画像データの中から、両方の目の位置を検出する。このような両方の目の位置の検出は公知の画像認識処理により実現できる。
【００４３】
そして、位置検出部４２は、液晶サンバイザー２０のパネル部２１における原点を基準として、目の３次元座標を演算する。上述したように、第２カメラ１２はステレオカメラとして構成されているので、得られた画像データを画像処理することで、目の３次元位置を得ることができる。上述した光源５０や目の検出や位置の演算は公知の画像処理により実現できる。
【００４４】
遮光制御部４３は、光源５０の位置と目の位置とを結ぶ直線Ｌ１及び直線Ｌ２が液晶サンバイザー２０を通る位置に遮光部２２を形成する。直線Ｌ１は、運転者の右目の位置と、光源５０の位置とを結ぶ直線であり、直線Ｌ２は、運転者の左目の位置と、光源５０の位置とを結ぶ直線である。なお、図３及び図５では、直線Ｌ２の図示を省略している。
【００４５】
具体的には、遮光制御部４３は、光源検出部４１及び位置検出部４２により得られた光源５０の位置と目の位置とから直線Ｌ１及び直線Ｌ２を演算する。遮光制御部４３は、液晶サンバイザー２０のパネル部２１は、ＸＺ平面にあるとし、このＸＺ平面と直線Ｌ１との交点、及びＸＺ平面と直線Ｌ２との交点を演算する。
【００４６】
遮光制御部４３は、光源５０の大きさや形状を画像データ中の高輝度部の大きさから演算する。そして、光源５０の全体が内側に含まれ、かつ、ＸＺ平面と直線Ｌ１との交点、及びＸＺ平面と直線Ｌ２との交点が含まれるように、遮光部２２の位置、大きさ及び形状を決定する。また、画像データ中の高輝度部の輝度に応じて遮光部２２の濃度（透明度）を決定する。
【００４７】
遮光制御部４３は、このようにして決定した位置、大きさ、及び濃度で遮光部２２が形成されるように液晶サンバイザー２０を制御する。これにより、液晶サンバイザー２０には、運転者の目から光源５０の光を低減する位置、大きさ、濃度の遮光部２２が形成される。
【００４８】
遮光制御部４３は、上述した遮光部２２を一回のみ形成してもよいし、一定間隔を空けて又は連続的に遮光部２２を形成してもよい。一定間隔又は連続的に遮光部２２を形成することで、遮光部２２を、車両１や光源５０の位置の変化に追随させることができる。また、光源５０の数は一つに限定されず２つ以上であってもよい。この場合、各光源５０に対応した複数の遮光部２２を形成する。もちろん、複数の光源５０につき一つの遮光部２２を形成してもよい。さらに、両方の目に対応して一つの遮光部２２を形成したが、左右それぞれの目に一つの遮光部２２を形成してもよい。
【００４９】
上述したように、液晶サンバイザー２０が鉛直な使用状態について説明したが、図３に示すように傾いた液晶サンバイザー２０ａについて遮光部２２ａを形成してもよい。例えば、運転者が手動で液晶サンバイザー２０ａを傾斜させた場合に、次のような制御を行う。
【００５０】
まず、制御装置４０は、このポジションセンサーの出力から液晶サンバイザー２０ａの角度を得て、当該角度が＋α以上−α以下であるという条件が成立するか判定する。制御装置４０は、当該条件が成立する場合、遮光部２２ａを形成する。具体的には、遮光制御部４３は、液晶サンバイザー２０ａが略鉛直な使用状態（液晶サンバイザー２０）のときに形成する遮光部２２を、ポジションセンサーから得た角度αに基づいて補正することで、遮光部２２ａを形成する。また、上記条件が成立しない場合は、遮光部２２ａを形成する機能を作動させない。このような制御により、運転者が手動で液晶サンバイザー２０ａを傾斜させた場合であっても、遮光部２２ａによって光源５０の遮光を行うことができる。
【００５１】
遮光制御部４３は、上述のようにして自動的に遮光部２２を形成するが、各種の操作スイッチの操作に応じて遮光部２２を調整してもよい。例えば、遮光制御部４３は、位置調整スイッチ２４のうち上向きのスイッチが操作されたことを検出したとき、パネル部２１に形成した遮光部２２の位置を上方向に所定量移動させる。その他の下向き、左向き、右向きのスイッチについても同様である。
【００５２】
また、遮光制御部４３は、濃度調整スイッチ２５のうち左側に配置されたスイッチが操作されたことを検出したとき、パネル部２１に形成した遮光部２２の濃度を所定量下げる。同様に、右側に配置されたスイッチが操作されたことを検出したとき、パネル部２１に形成した遮光部２２の濃度を所定量上げる。遮光制御部４３は、濃度調整スイッチ２５により設定された濃度を、濃度表示部２６により表示させる。濃度表示部２６は、遮光部２２に適用されている濃度を段階的に示したものである。図２に示す例では、上下方向に段階的に長くなった５つの棒状のＬＥＤなどの表示装置から濃度表示部２６が形成されている。遮光制御部４３は、遮光部２２に適用された濃度に応じて、各表示装置を光らせることで当該濃度を液晶サンバイザー２０の濃度表示部２６に表示させている。
【００５３】
また、遮光制御部４３は、感度調整スイッチ２７が操作されたことを検出したとき、感度調整スイッチ２７の位置に応じて、光源検出部４１で用いる閾値を変更する。閾値を変更することで、光源検出部４１により検出される高輝度部の輝度の程度が調整される。つまり、高輝度部を検出する感度が調整される。
【００５４】
また、遮光制御部４３は、遮光部２２を形成する際に、液晶サンバイザー２０が収納状態であるならば、使用状態にする制御を行う。具体的には、遮光制御部４３は、モーターを駆動することで、液晶サンバイザー２０を使用状態にする。なお、光源５０と目の位置から遮光部２２を形成する必要がないと判断される場合、遮光制御部４３は、モーターを駆動して液晶サンバイザー２０を収納状態としてもよい。
【００５５】
上述した構成の車両用防眩装置１０の動作について説明する。図７は、車両用防眩装置の動作を示すフローである。
まず、車両用防眩装置１０は、光源の検出を行う（ステップＳ１）。具体的には光源検出部４１により光源の位置を検出する。次に、車両用防眩装置１０は、運転者の目の位置の検出を行う（ステップＳ２）。具体的には位置検出部４２により目の位置を検出する。次に、車両用防眩装置１０は、遮光が必要かを判定する（ステップＳ３）。例えば、光源と目の位置を結ぶ直線Ｌ１及び直線Ｌ２がパネル部２１を通る場合は遮光が必要と判定し、そうでない場合は遮光が不要と判定する。遮光が不要であると判定した場合は（ステップＳ３：Ｎｏ）、処理を終了する。
【００５６】
車両用防眩装置１０は、遮光が必要と判定したとき（ステップＳ３：Ｙｅｓ）、液晶サンバイザーが収納状態であるかを判定する（ステップＳ４）。液晶サンバイザーが収納状態である場合は（ステップＳ４：Ｙｅｓ）、液晶サンバイザー２０を使用状態にする（ステップＳ５）。
【００５７】
特に図示しないが、モーターにより軸部３０を回動させることで、液晶サンバイザー２０を収納状態から使用状態にする際には、車両用防眩装置１０は、音を発してもよい。音を発することで、運転者に対して、液晶サンバイザー２０が回動する旨を知らせることができ、運転者の頭部が液晶サンバイザー２０に干渉しないようにすることができる。なお、このような音は、液晶サンバイザー２０を使用状態から収納状態にする際に発してもよい。
【００５８】
車両用防眩装置１０は、液晶サンバイザー２０が使用状態になった後、又は既に液晶サンバイザー２０が使用状態である場合（ステップＳ４：Ｎｏ）、遮光制御を行う（ステップＳ６）。遮光制御は、上述したように、遮光制御部４３により、光源と目の位置に基づいて遮光部２２を形成することである。なお、車両用防眩装置１０は、特に図示しないが、各種の操作スイッチが操作されたことを検出したとき、遮光部２２の位置等を調整する。
【００５９】
以上に説明した本実施形態の車両用防眩装置１０では、透明なパネル部２１のうちの一部に、光源５０を運転者の目から遮るための遮光部２２を形成する。このように光源５０を遮る部分だけ遮光部２２を形成するので、車外の視認性を確保しつつ、運転者へ差し込む光源からの光を遮光することができる。そして、この遮光部２２を形成する位置を決定する際には、運転者の目の位置のみならず、光源５０の位置を特定している。このように、光源５０の位置を特定して遮光部２２を形成しているので、運転者の目に光源５０の光が遮られる位置に遮光部２２をより正確に形成できる。
【００６０】
また、従来技術のように現在時刻に基づいて光源である太陽の位置を推定するものではない。本実施形態の車両用防眩装置１０は、光源５０の位置を特定するので、太陽のみならず、対向車のヘッドライトについてもこれを検出し、適切な位置に遮光部２２を形成することができる。
【００６１】
本実施形態の車両用防眩装置１０では、第１カメラ１１で撮像した画像データに基づいて光源５０の位置を検出する。画像データは、輝度に基づいた画像処理が可能であるので、光源５０をより確実に検出することができる。
【００６２】
本実施形態の車両用防眩装置１０では、光源５０の輝度が高いほど遮光部２２の透明度を低くする。これにより、光源５０の輝度が低い場合は、遮光部２２を高い透明度にするので、パネル部２１全体の視認性を高めることができる。また、光源５０の輝度が高い場合は、遮光部２２を低い透明度にするので、高い輝度の光源５０をより確実に遮光し、防眩性を高めることができる。
【００６３】
本実施形態の車両用防眩装置１０では、一定間隔で継続的に、位置、大きさ、透明度を計算して遮光部２２を形成する。これにより、光源の移動に遮光部２２の位置を追随させることができる。そのような移動する光源として、対向車のヘッドライトが挙げられるが、このヘッドライトの移動に対して追随するように遮光部２２を形成することができる。
【００６４】
本実施形態の車両用防眩装置１０では、遮光部２２の位置や濃度（透明度）を調整する位置調整スイッチや濃度調整スイッチを備える。これにより、運転者が遮光部２２の位置や濃度を調整して、より確実に光源の光を遮ることができる。
【００６５】
本実施形態の車両用防眩装置１０では、感度調整スイッチ２７を備える。感度調整スイッチ２７により設定される閾値を用いて、光源検出部４１は高輝度部を検出する。そして、遮光制御部４３は、感度調整スイッチ２７により設定された閾値を超えた輝度を有する光源に対して遮光部２２を形成する。これにより、運転者が感度調整スイッチ２７を調整することで、光源を検出する感度を調整することができ、運転者が所望する輝度の光源をより確実に遮光部２２で遮光することができる。
【００６６】
本実施形態の車両用防眩装置１０では、パネル部２１は、電圧が印加されていないときは透明である。これにより、故障等で電圧が印加できない場合であっても、パネル部２１は透明であるので、視界が妨げられることがない。
【００６７】
本実施形態の車両用防眩装置１０では、液晶サンバイザー２０は、軸部３０に回動可能に支持され、収納状態又は使用状態に変位可能である。そして、収納状態から使用状態へ自動的に変位させた後に、遮光部２２を形成する。これにより、液晶サンバイザー２０を運転者の前に自動的に位置させて遮光することができる。
【００６８】
本実施形態の車両用防眩装置１０では、運転者の手動操作により液晶サンバイザー２０が所定角度に傾斜したときであっても、遮光部２２を形成して光源５０を遮光することができる。
【００６９】
〈他の実施形態〉
以上、本発明の一実施形態について説明したが、勿論、本発明は、上述の実施形態に限定されるものではなく、本発明の趣旨から逸脱しない範囲内で、構成の付加、省略、置換、およびその他の変更が可能である。
【００７０】
例えば、光源検出手段は、第１カメラ１１と光源検出部４１とで構成し、画像処理に基づいて光源の位置を検出したが、このような構成に限定されない。また、目の位置検出手段は、第２カメラ１２と位置検出部４２とで構成し、画像処理に基づいて目の位置を検出したが、このような構成に限定されない。
【００７１】
実施形態１では、液晶サンバイザー２０は、各種の操作スイッチを備えていたが、これらを備えていなくてもよい。すなわち、運転者の手動による調整を行わず、車両用防眩装置１０が自動的に遮光部２２を形成するのみの構成であってもよい。また、液晶サンバイザー２０は、使用状態と収納状態とを切り換えることが可能な構成であったが、このような態様に限定されない。例えば、液晶サンバイザー２０の代わりに、電気的制御で遮光部を形成可能なフロントガラスを遮光装置として用いてもよい。
【符号の説明】
【００７２】
１０…車両用防眩装置、１１…第１カメラ（光源検出手段）、１２…第２カメラ（位置検出手段）、４０…制御装置、４１…光源検出部（光源検出手段）、４２…位置検出部（位置検出手段）、４３…遮光制御部（遮光制御手段）、５０…光源
【図１】
2018199421.tif 000003
【図２】
2018199421.tif 000004
【図３】
2018199421.tif 000005
【図４】
2018199421.tif 000006
【図５】
2018199421.tif 000007
【図６】
2018199421.tif 000008
【図７】
2018199421.tif 000009